(57)【要約】      （修正有）【課題】家庭菜園や庭園などにおいて、穴掘り、種蒔き、移植、施肥、土の運搬などを手作業で行う際に役立つ、小型で単一の手作業具を提供する。【解決手段】蓋が装着される開口１１と円形の底面とを有する収納部１０と、第一の開口端２１は掘削刃を具有し、第二の開口端２２は前記収納部１０に外嵌し、中間は筒状空間を形成する掘削部２０と、を備える。収納部１０は、前記開口１１近傍の外壁に、雄ねじが形成されたものであって、蓋３０は、開口１１に螺合する内ねじを具備した側壁と、振出口が形成された天板とを有する蓋本体、及び該天板に接着された第一部材と、該第一部材に蝶着され該振出口を開閉自在に覆う第二部材とを有する蓋板を備える。第一の開口端２１は、楕円形の周縁を有し、外側の半周縁には、平掘削刃が連続的に形成され、内側の半周縁には、山形掘削刃が複数形成された。【選択図】図１
0003178342.tif 000002
【実用新案登録請求の範囲】
【請求項１】
蓋が装着される開口と円形の底面とを有する収納部と、第一の開口端は掘削刃を具有し、第二の開口端は前記収納部に外嵌され、中間は筒状空間を形成する掘削部と、を備えたことを特徴とする手作業具。
【請求項２】
前記収納部は、前記開口近傍の外壁に、雄ねじが形成されたものであって、
前記蓋は、前記開口に螺合する内ねじを具備した側壁と、振出口が形成された天板とを有する蓋本体、及び該天板に接着された第一部材と、該第一部材に蝶着され該振出口を開閉自在に覆う第二部材とを有する蓋板を備えたことを特徴とする請求項１記載の手作業具。
【請求項３】
前記第一の開口端は、楕円形の周縁を有し、外側の半周縁には、平掘削刃が連続的に形成され、内側の半周縁には、山形掘削刃が複数形成されたことを特徴とする請求項１又は２記載の手作業具。
【請求項４】
前記収納部は、プラスチックで成形され、前記掘削部は、金属で成形されたものであることを特徴とする請求項１から３のうち何れか１項記載の手作業具。
【考案の詳細な説明】
【技術分野】
【０００１】
本考案は、園芸や家庭菜園などにおいて、穴掘り、種蒔き、苗の移植、施肥、土の運搬などを行う際に使用する手作業具に関するものである。
【背景技術】
【０００２】
苗床に花や野菜のタネを植え、育った苗を庭や畑に移植する際には、ある程度の深さの穴を掘る必要がある。しかしながら、従来から用いている移植ごて、あるいはスコップでは、円形の所定の深さの穴を掘るのは手間がかかる。そこで、先端に二枚刃を円周上に突設させた円筒状の掘り込み具（ホールディガー）などが用いられる。その場合、掘り込む土が粘性を有する場合には、圧縮された土が円筒内に詰まることがあるので、円筒内部に上下動する摺動体を設けたホールディガーが提案されている（特許文献１参照）。また、ポリエチレンシートの上から苗を植えこむための穴を円筒状の穴掘り器で開ける場合に、土質によっては、掘った土がパラパラ落ちたり、切削筒内に詰まったりするので、筒内に排土板を設け、突き固めたり、押し出したりすることができるようにした穴掘り器が提案されている（特許文献２参照）。さらに、花壇や鉢植え等の作物に肥料をやるため、円筒状の本体で土壌に穴を開け、その中空部に詰まった土壌を円筒状の本体内に設けたピストンのハンドル操作で取り出す土掘りシャベルが提案されている（特許文献３参照）。
【先行技術文献】
【特許文献】
【０００３】
【特許文献１】特開２００３−０７４２８１号公報
【特許文献２】特開２００３−３０４７１１号公報
【特許文献３】特開２０１０−２７３６５５号公報
【考案の概要】
【考案が解決しようとする課題】
【０００４】
しかしながら、上記先行技術文献に記載された発明は、穴掘り作業に使用する作業具であり、施肥や播種、土・腐葉土などを運ぶためには他の作業具と併用する必要がある。また、それら一連の作業を単一の道具で行おうとすると、エンジン付のトラクタや、車輪付きの装置を用いる必要があり、道具が大型化し、家庭菜園や庭園等における作業には適さない。
本考案は、上記事情に鑑み、家庭菜園や庭園などにおいて、穴掘り、種蒔き、移植、施肥、土の運搬などを手作業で行う際に役立つ、小型で単一の手作業具を提供することを目的とする。
【課題を解決するための手段】
【０００５】
本考案は、蓋が装着される開口と円形の底面とを有する収納部と、第一の開口端は掘削刃を具有し、第二の開口端は前記収納部に外嵌され、中間は筒状空間を形成する掘削部と、を備えたことを特徴とする。
このように、掘削部のみならず収納部を備えているので、家庭菜園や庭園などにおいて手作業で行う穴掘り、種蒔き、移植、施肥、土の運搬などを単一の手作業具でまかなうことができる。
また、上記収納部は、上記開口近傍の外壁に、雄ねじが形成されたものであって、上記蓋は、上記開口に螺合する内ねじを具備した側壁と、振出口が形成された天板とを有する蓋本体、及び該天板に接着された第一部材と、該第一部材に蝶着され該振出口を開閉自在に覆う第二部材とを有する蓋板を備えることが好ましい。
収納部の開口に、開閉自在な蓋を設ければ、収納室に入れた化成肥料等がこぼれない。
さらに、上記第一の開口端は、楕円形の周縁を有し、外側の半周縁には、平掘削刃が連続的に形成され、内側の半周縁には、山形掘削刃が複数形成されたことが好ましい。
このように、掘削部の開口端に連続的に平掘削刃が形成され、内側の半周縁には、山形掘削刃が形成されていれば、家庭菜園に覆われたポリエチレンシートの上から容易に穴を掘ることができる。
また、上記収納部は、プラスチックで成形され、上記掘削部は、金属で成形されたものであれば、製造が容易で、コストを抑えることができる。
【考案の効果】
【０００６】
本考案によれば、穴掘り、種蒔き、苗の移植、施肥、土の運搬などの一連の手作業を小型の単一の道具で行うことができる。
【図面の簡単な説明】
【０００７】
【図１】図１は本実施形態の手作業具を示す正面図である。
【図２】図２は本実施形態の手作業具を示す平面図である。
【図３】図３は本実施形態の手作業具を示す底面図である。
【図４】図４は掘削部の第一開口端を示す側面図である。
【図５】図５は掘削部の第一開口端を示す正面図である。
【図６】図６は本実施形態の手作業具の縦断面図である。
【図７】図７は蓋板を閉じたときの蓋の正面図である。
【図８】図８は蓋板を半開きしたときの蓋の正面図である。
【図９】図９は蓋板を９０度開いたときの蓋の平面図である。
【考案を実施するための形態】
【０００８】
以下に、本考案の実施形態について説明する。
図１〜図４は、本実施形態の手作業具を示す図であり、図１は正面図、図２は平面図、図３は底面図である。
図１〜図３に示すように、本実施形態の手作業具１は、蓋３０が装着される開口１１及び円形の底面１３を有する収納部１０と、掘削刃２１が形成された筒状の掘削部２０とを有する。
収納部１０は、開口１１を有する首部１２と、円形の底面１３を有する底部１４と、壁面１５で囲われた収納室１６と、を有し、粉体、粒状体などの固体を収納することができる。開口１１は、底面１３よりも小径で、首部１２の外壁（本考案の開口近傍の外壁に相当する。）には蓋を装着する雄ねじ１２ａが設けてある。そして、収納部１０の開口１１は、首部１２の外壁に設けた雄ねじ１２ａに螺合する蓋３０が装着される。
ここで、本実施形態の収納部１０の開口１１は、底面１３よりも小径で、首部１２の外壁に蓋３０を装着する雄ねじ１２ａを設けているが、必ずしも、開口１１は底面１３より小径とする必要はなく、また、必ずしも首部１２の外壁に雄ねじ１２ａを設ける必要もない。ただし、収納部１０に収納した固体が漏出しないように、例えばゴム栓やコルク栓などの弾性部材を開口１１に装着すること、あるいはプラスチックの蓋を被せることにより開口１１を塞ぐ必要がある。
掘削部２０は、斜めにカットされ、楕円形をした切り口を有し、その切り口の周縁には掘削刃が形成された第一の開口端２１と、収納部１０の底部１４に外嵌される円形の切り口を有する第二の開口端２２と、第一開口端２１及び第二開口端２２相互間に形成された筒状空間２３と、を有する。
【０００９】
図４及び図５は、掘削部の第一開口端を示す部分図であり、図５は側面図、図６は正面図である。
図４及び図５に示すように、掘削部２０の第一開口端２１は、掘削部２０の一端を長手方向に斜めに３０度の角度でカットされ、カットされた切り口は楕円形をなしている。
第一開口端２１を形成する楕円形をした切り口の周縁には、掘削刃が形成され、外側の半周縁２１ａには、平掘削刃Ｂが連続的に形成され、内側の半周縁２１ｂには、山形掘削刃Ｓが複数形成されている。
ここで、本実施形態の掘削刃は、第一開口端２１における切り口の全周縁に設けているが、掘削刃は必ずしも切り口の全周縁に設ける必要はない。また掘削刃のうち外側の半周縁２１ａは平掘削刃Ｂ、内側の半周縁２１ｂは山形掘削刃Ｓとしているが、山形掘削刃Ｓは、必ずしも半周縁全体に設ける必要はなく、内側の一部であってもよい。また平掘削刃Ｂは、必ずしも半周縁全体に設ける必要はなく、外側であれば、先端の一部であってもよい。
【００１０】
図６は、本実施形態の手作業具の縦断面を示す図である。
図６に示すように、本実施形態の手作業具１の内部は、化成肥料や種子などの固体を出し入れ自在に収納する収納室１６と、収納部１０の底面１３により収納室１６と仕切られた、活性肥料や土壌を収容する筒状空間２３とを有する。そして、掘削部２０の第一開口端２１には、地面を円形に掘削する掘削刃が設けてあり、掘削刃が形成された楕円形の切り口の周縁のうち、外側の半周縁２１ａには、平掘削刃Ｂが連続的に形成されている。
ここで、収納部１０は、例えばメタクリル樹脂やＰＥＴなどのプラスチックをブロー成形することにより形成することができるが、必ずしもこれに限定されない。
また掘削部２０は、アルミニウム、ステンレス鋼などの金属板を収納部１０の外径に合わせて筒状に巻き、接合部を溶接、又は接着する一方、第一開口端２１を斜めに、例えば３０度から４５度程度をなすようにカットし、端面を切削加工して掘削刃を形成することができるが、必ずしもこれに限定されない。
本実施形態の手作業具１は、掘削部２０の第二開口端２２を収納部１０の底部１４に外嵌する一方、底部１４側面と第二開口端２２の内面とを接着し、収納部１０と掘削部２０とを一体化すると共に、収納部１０の底面１３を掘削部２０と収納部１０との境界面とすることにより形成される。
本実施形態の手作業具１の寸法は、収納部１０及び掘削部２０の外径が、８０ｍｍ、１００ｍｍ、１２０ｍｍの３種類に設定され、筒状空間２３の長さが、１００ｍｍ、１５０ｍｍの２種類に設定され、収納部１０の開口１１から底面１３までの深さが、８０ｍｍ、１００ｍｍの２種類に設定されているが、これに限定する必要はなく、任意の寸法に設定することができる。
【００１１】
図７〜図９は、蓋を示す図であり、図７は、蓋板を閉じたときの正面図、図８は、蓋板を半開きしたときの正面図、図９は、蓋板を９０度開いたときの平面図である。
図７〜図９に示すように、蓋３０は、蓋本体３１と蓋板３２とを有し、蓋本体３１は、収納部の首部外壁に設けた雄ねじ螺合する内ねじを具備した側壁３１ａと、収納室１６に入れた化成肥料などをばらまく振出口３１ｂが形成された天板３１ｃとを有する。また、蓋板３２は、第一部材３２ａと、第一部材３２ａに蝶着された第二部材３２ｂとからなり、第一部材３２ａは天板３１ｃに接着剤で接着して固定され、他方、第二部材３２ｂは天板に接着せずにフリーの状態にして、振出口３１ｂを開閉自在に覆っている。
【００１２】
次に、本実施形態の手作業具の使用方法の一例について説明する。
本実施形態の手作業具を用いて、例えばポリエチレンシートで覆われた家庭菜園に野菜の苗を移植する場合には、収納部１０の蓋３０を外して野菜の苗に施す、例えば窒素、燐酸、カリなどの化成肥料を収納部１０の収納室１６に入れて蓋３０をする。そして、家庭菜園に覆われたポリエチレンシートの上から掘削部２０先端の平掘削刃２１ａを地面に差し込み、差し込んだ掘削部２０を回転させて、ポリエチレンシートを山形掘削刃２１ｂで丸く除去する。次に、第一開口端２１をさらに地中に差し込み、筒状空間２３に排土を収容して、円形の穴を掘る。穴が掘れたら、蓋板３２の第二部材３２ｂを開き、振出口３１ｂから穴の中にばらまくようにして化成肥料を施す。次に、移植する野菜の苗を円形の穴に挿入し、掘削部２０の筒状空間２３に入れた土又は活性肥料を苗の根元に施して、根固めする。
【産業上の利用可能性】
【００１３】
農作業一般、あるいは造園、植林などにも活用することができる。
【符号の説明】
【００１４】
１      手作業具
１０    収納部
１１    開口
１２    首部
１２ａ  雄ねじ
１３    底面
１４    底部
１５    壁面
１６    収納室
２０    掘削部
２１    第一開口端
２１ａ  外側の半周縁
２１ｂ  内側の半周縁
２２    第二開口端    
２３    筒状空間
３０    蓋
３１    蓋本体
３１ａ  側壁
３１ｂ  振出口
３１ｃ  天板
３２    蓋板
３２ａ  第一部材
３１ｂ  第二部材
Ｂ    平掘削刃
Ｓ    山形掘削刃
【図１】
0003178342.tif 000003
【図２】
0003178342.tif 000004
【図３】
0003178342.tif 000005
【図４】
0003178342.tif 000006
【図５】
0003178342.tif 000007
【図６】
0003178342.tif 000008
【図７】
0003178342.tif 000009
【図８】
0003178342.tif 000010
【図９】
0003178342.tif 000011